(57)【要約】【課題】床躯体層と仕上げ層の熱伝導及び熱容量の関係を調整することで、床躯体層の熱容量を室温調整に有効活用する。【解決手段】建物１０の架構１１に支持される床躯体層２と、該床躯体層２上に載置される仕上げ層３とを備え、建物１０の外壁部１３や屋根部１２に設けられる開口１４から入射する太陽光を受ける屋内空間又は空調設備を備えた屋内空間に設けられる床構造１であって、床躯体層２は蓄熱性を備える材料によって形成され、床躯体層２と仕上げ層３とが以下の式（１）及び式（２）を充足している。      Ｒ ≧ Ｒ'    …（１）      Ｃ ≦ Ｃ'    …（２）ただし、Ｒ：床躯体層の熱抵抗        Ｒ'：仕上げ層の熱抵抗        Ｃ：床躯体層の容積比熱        Ｃ'：仕上げ層の容積比熱【選択図】図１
2012180677.tif 000002
【特許請求の範囲】
【請求項１】
建物の架構に支持される床躯体層と、該床躯体層上に載置される仕上げ層とを備え、前記建物の外壁部や屋根部に設けられる開口から入射する太陽光を受ける屋内空間又は空調設備を備えた屋内空間に設けられる床構造であって、
前記床躯体層は蓄熱性を備える材料によって形成され、
前記床躯体層と仕上げ層とが以下の式（１）及び式（２）を充足している
ことを特徴とする床構造。
Ｒ ≧ Ｒ'    …（１）
Ｃ ≦ Ｃ'    …（２）
ただし、Ｒ：床躯体層の熱抵抗
Ｒ'：仕上げ層の熱抵抗
Ｃ：床躯体層の容積比熱
Ｃ'：仕上げ層の容積比熱
【請求項２】
前記床躯体層の裏面に断熱層が設けられていることを特徴とする請求項１に記載の床構造。
【請求項３】
前記床躯体層がＡＬＣ（軽量気泡コンクリート）により形成されていることを特徴とする請求項１又は請求項２に記載の床構造。
【請求項４】
前記仕上げ層は、木材により形成されていることを特徴とする請求項１乃至請求項３のいずれか一項に記載の床構造。
【発明の詳細な説明】
【技術分野】
【０００１】
本発明は、床構造に関する。さらに詳述すると、本発明は、住宅等の建物の居室や非居室の床部分を形成する床構造の改良に関する。
【背景技術】
【０００２】
従来、住宅等の建物においては、重量を支持し、且つ、建物躯体の構成要素となる床躯体層の上に床仕上げ材を載置することで居室等の床を形成することが行われている。
【０００３】
ところで、近年、空調等の設備の利用をできるだけ抑制しつつ室内の温熱環境を向上させる技術開発や当該設備と自然環境を上手く組み合わせて室内の温熱環境を向上させる技術開発が進んできており、これらの技術開発の１つとして、床躯体層の蓄熱性に着目した開発がなされてきている。
【０００４】
例えば特許文献１には、床躯体層を構成するＡＬＣ（軽量気泡コンクリート）パネルを蓄熱材と看做し、該床躯体層上に不陸（ふろく）を調整する調整層を設け、当該不陸調整層上に床仕上げ材としての合板やカーペットを設ける構成が開示されている。また、特許文献２には、床躯体層としてのＡＬＣを蓄熱材として用い、当該ＡＬＣの表面にカーペットを敷装する構成が開示されている。また、特許文献３には、蓄熱材の室内側に木質系床材を設置し、これらを密着させる構成が開示されている。
【先行技術文献】
【特許文献】
【０００５】
【特許文献１】特開２００２−４４８０号公報
【特許文献２】特開平５−３２２３１８号公報
【特許文献３】特開２００４−７６３１４号公報
【発明の概要】
【発明が解決しようとする課題】
【０００６】
しかしながら、上記の従来技術には下記のような問題がある。すなわち、上記特許文献１の構成においては、ＡＬＣパネルを蓄熱材として利用できると記載されているが、該床パネルの室内側には単に合板やカーペット等の仕上げ材が設けられており、ＡＬＣパネルは、これら仕上げ材を介して伝達される熱を蓄熱するものとなっている。このため、仕上げ材を適切に選択しなければ、これら仕上げ材とＡＬＣパネルとの間での熱伝達を良好に行うことができず、ＡＬＣパネルの蓄熱性能を充分に活かすことができない。かかる点に付き、当該特許文献１には仕上げ材の性能や仕上げ材とＡＬＣパネルとの関係についての開示がなく、仕上げ材の種類によっては蓄熱材としての性能を著しく損なってしまうという問題点がある。
【０００７】
また、特許文献２や特許文献３に開示の先行技術も上記特許文献１の構成と同様、蓄熱材の表面を仕上げ材によって覆うものであって、当該蓄熱材と仕上げ材との関係についての開示がなく、当該仕上げ材の性能によっては、却って蓄熱材の蓄熱性を阻害してしまうことが考えられる。この様に、これまで構造材の上部に仕上げ材を設置する場合、たとえ構造材に熱容量があったとしても、仕上げ材は構造材の不陸調整や施工合理化といった主に構造性や施工性の観点のみから材料が選定されており、当該構造材の熱容量を室内の温熱環境の調整に充分に活かすことができない虞があった。
【０００８】
本発明は、このような問題を解決するためになされたものであり、床躯体層と仕上げ層の熱伝導及び熱容量の関係を調整することで、床躯体層の熱容量を室温調整に有効活用することができる床構造を提供することを目的とする。
【課題を解決するための手段】
【０００９】
（１）上記課題を解決すべく、本発明の具体的構成は、建物の架構に支持される床躯体層と、該床躯体層上に載置される仕上げ層とを備え、前記建物の外壁部や屋根部に設けられる開口から入射する太陽光を受ける屋内空間又は空調設備を備えた屋内空間に設けられる床構造であって、
前記床躯体層は蓄熱性を備える材料によって形成され、
前記床躯体層と仕上げ層とが以下の式（１）及び式（２）を充足している
ことを特徴としている。
Ｒ ≧ Ｒ'    …（１）
Ｃ ≦ Ｃ'    …（２）
ただし、Ｒ：床躯体層の熱抵抗
Ｒ'：仕上げ層の熱抵抗
Ｃ：床躯体層の容積比熱
Ｃ'：仕上げ層の容積比熱
【００１０】
本発明によれば、床躯体層と仕上げ層とが上述の如き関係を有するので、蓄熱材となる床躯体層への伝熱が仕上げ層によって妨げられにくく、その結果として、直達日射によって床表面温度を上昇させた熱が仕上げ層下面まで到達しやすくなり、躯体層への蓄熱が可能になる。また、本発明においては、仕上げ層の容積比熱が躯体層の容積比熱に比べて大きい若しくは同様であり、単純に仕上げ層の熱容量を躯体層の熱容量に加えたと同様の蓄熱効果を得ることが出来ることから、床躯体層と仕上げ層が一体の蓄熱材として直達日射による熱（本明細書では直達日射熱ともいう）を蓄熱・放熱することができ、室温変動を小さくすることができる。
【００１１】
（２）また、本発明に係る床構造においては、前記床躯体層の裏面に断熱層が設けられていることが好ましい。
【００１２】
このように、蓄熱性を備える床躯体層の裏面に断熱層が設けられていると、蓄熱層に蓄えられた熱が床躯体層の裏面から逃げていくことを抑制し、これによって、床躯体層に蓄えられた熱が室内に放出されることとなり、その結果、室温変動を少なくすることができる。
【００１３】
（３）また、本発明に係る床構造においては、前記床躯体層がＡＬＣ（軽量気泡コンクリート）により形成されていることが好ましい。
【００１４】
床躯体層として用いられるＡＬＣはＲＣ（コンクリート）ほどの大きな熱容量を持たず、且つ適度な断熱性能を有するため、仕上げ層として一般的に使用される材料（寄木合板やタイルなど）を使用した場合でも上記式（１）及び式（２）の関係を導きやすい。このため、床躯体層としてＡＬＣを採用すると、蓄熱材として機能する当該床躯体層の熱容量を有効活用できる。
【００１５】
（４）また、前記仕上げ層は、木材により形成されていることが好ましい。
【００１６】
このように床躯体層としてＡＬＣを採用し、仕上げ層として木材を採用することで上記式（１）及び式（２）の関係を満たす床構造を構成し、床躯体層の熱容量を有効活用することができる。また、床の仕上げとして木材を選択することで、居室の床として汎用的に利用することができる。
【００１７】
この床構造によれば、床躯体層の熱容量を室温調整にさらに有効的に活用することができる。
【発明の効果】
【００１８】
本発明の床構造によれば、床躯体層と仕上げ層の熱伝導及び熱容量の関係を調整することで、床躯体層の熱容量を室温調整に有効活用することができる。
【図面の簡単な説明】
【００１９】
【図１】本発明の一実施形態に係る床構造を含む建物の一例を示す断面図である。
【図２】計算モデルとして用いた建物の概略を示す斜視図である。
【図３】計算モデルとして用いた建物の室内を示す上部からみた断面図である。
【図４】計算モデルとして用いた建物の室内を示す側部からみた断面図である。
【図５】冬季室温変動のシミュレーションの結果を示すグラフである。
【図６】冬季床表面温度変動のシミュレーションの結果を示すグラフである。
【図７】追加実験時に温度変動の実測を行った建物（試験棟）の概要を示す平面図である。
【図８】追加実験用のシミュレーションモデルの平面図である。
【図９】追加実験用のシミュレーションモデルの側面図である。
【図１０】追加実験におけるシミュレーションによる計算結果と実測結果とを表すグラフである。
【発明を実施するための形態】
【００２０】
以下、図面を参照しつつ本発明に係る床構造の実施形態について詳細に説明する。
【００２１】
（全体構成）
本発明に係る床構造を備える建物１０は例えば２階建ての住宅建物であって、梁と柱からなる構造躯体（架構）１１と、これら梁や柱に支持されて建物１０の屋根を形成する屋根部１２と、同じく梁や柱に支持されて建物１０の外皮を形成する外壁部１３と、各階の床を形成する床部（床構造）１とを備えている（図１参照）。外壁部１３の所定の位置には窓（開口）１４が設けられている。また、特に図示してはいないが、各階の縦動線を形成する階段部が適宜設けられると共に、１階や２階の所定位置には、掃き出し窓を介して行き来可能なバルコニーやベランダが適宜設けられる。なお、外壁部１３に設けられた窓１４の他、屋根部１２に設けられた屋根窓（ドーマーウィンドウ）や天窓なども室内へ日射を直達させる開口となりうる。
【００２２】
構造躯体１１は、基礎から立ち上がる複数本（一例として、８本）の柱と、隣り合う柱間に架設される複数本の梁とを備えて形成される構造（例えばラーメン構造）を構成している。
【００２３】
外壁部１３は、特に詳しい図示はしていないが、例えば所定寸法に形成されるＡＬＣ（軽量気泡コンクリート）製の複数枚の外壁パネルと、該外壁パネルの内側に沿設される断熱材と、該断熱材の内側に設けられる内装下地材と、該内装下地材に支持される内装材とを備えて形成される。各外壁パネルは、いわゆるロッキング工法により上下両端部が梁に又は梁と基礎に保持されている。断熱材は、プラスチック系断熱材により平板状に形成されており、複数のブロックに分割した状態で外壁パネルの内側に敷設され、継ぎ目が気密テープにより覆われるものとなっている。
【００２４】
また、特に図示していないが、建物１０の内部において、内装下地材は、一対の縦桟の間に複数の横桟を組みつけて形成される木製のフレーム状に形成されており、支持部材を介して床部１や外壁部１３に固定されるものとなっている。内装材は、例えば平板状の石膏ボードにより形成されており、当該石膏ボードを内装下地材に留め付けられている。
【００２５】
（床部１の構成）
１階の床部１は、基礎に支持される床躯体層２と、床躯体層２よりも室内側に設けられて当該床躯体層の上面を覆う仕上げ層３と、床躯体層２よりも室外側に設けられる断熱材４とを備えている（図１参照）。
【００２６】
床躯体層２は、所定寸法に形成される複数枚の床パネルを敷設することによって形成されている。一例として、本実施形態では床パネルとして幅約600mm，長さ約1800mmのＡＬＣ（軽量気泡コンクリート）製の床パネルを採用しており、この床パネルの幅手方向の両端を夫々40mmずつ基礎の上部に配置して支持している。床パネルの基礎に対する固定方法は、該床パネルを用いたときに通常採用される固定方法を利用している。
【００２７】
仕上げ層３は、板材等が床躯体層２の上に載置されることによって形成されている。一例として、本実施形態の仕上げ層３は木質の板材により形成されており、ＡＬＣ製の床パネルの上に直接ビス固定されるか、もしくは合板（一例として厚さ12mm）を捨て貼りしてからその上にビス固定される。合板が捨て貼りされる際、採用する仕上げ層３は裏あて材の無いものが望ましい。裏あて材として一般に使用される材料は発泡プラスチック系材料であり、この材料は合板に比べて断熱性能が高いため躯体層への蓄熱を妨げてしまうが、このように裏あて材の無いものを採用すれば躯体層への蓄熱を妨げない。
【００２８】
また、本実施形態の床部１において、床躯体層２を（形成する床パネル）と仕上げ層３（を形成する木材）とは以下の関係を充足する部材の組み合わせとなっている。
Ｒ ≧ Ｒ'    …（１）
Ｃ ≦ Ｃ'    …（２）
ただし、Ｒ：床躯体層２の熱抵抗
Ｒ'：仕上げ層３の熱抵抗
Ｃ：床躯体層２の容積比熱
Ｃ'：仕上げ層３の容積比熱
【００２９】
熱抵抗（単位は[m2K/W]）は、熱の伝わりにくさを表す比例定数であり、材料の厚みによって変わる。また、容積比熱（単位は[kJ/m3K]）は、体積一定の条件で単位質量の物質の温度を単位温度（１Ｋ（１℃））上げるのに必要な熱量を表す物性値である。容積比熱が大きいほど熱しにくく冷めにくい物質ということであり、逆に容積比熱が小さいほど熱しやすく冷めやすい物質ということになる。
【００３０】
本実施形態においては、上記式（１）及び式（２）を同時に充足する具体的組み合わせとして、床躯体層２としてＡＬＣから形成される例えば厚さ100ｍｍの床パネルを採用すると共に、仕上げ層３として木質材料から形成される厚さ12ｍｍの仕上げ材を採用している。なお、上記式（１）及び式（２）を同時に充足する上記以外の組み合わせとしては、例えば床躯体層２としてＡＬＣから形成される床パネル（一例として厚さ100ｍｍ）を採用すると共に、仕上げ層３としてモルタルおよびタイルから形成される仕上げ材（一例として厚さ15ｍｍ）を採用するという組み合わせも可能である。また、他の構成であっても上記式（１）及び（２）を充足する組み合わせであれば採用することが可能である。
【００３１】
また、上記の床躯体層２の裏面には断熱層４が設けられていることが好ましい（図１参照）。蓄熱性を備える床躯体層２の裏面に断熱層が設けられていれば、熱が床躯体層２の裏面から逃げていくことが抑制される。これによれば、床躯体層２に蓄えられた熱のより多くが室内側に放出されるようになる結果、室温変動を少なくすることが可能となる。
【００３２】
一例として、本実施形態の断熱層４は、板状に形成されたフェノール樹脂の発泡体からなり、高い断熱性を有し、且つ断熱性や寸法を長期間維持し得る性質を有している。フェノール樹脂発泡体に於ける断熱性は、気泡径が5μｍ〜200μｍの範囲、好ましくは10μｍ〜150μｍと小さく、且つ独立気泡率を80％以上と高く保持することによって確保することが可能である。例えば、フェノール樹脂発泡体の密度を27kg／ｍ3に設定した場合、20℃に於ける熱伝導率は0.020Ｗ／ｍ・Ｋであり、圧縮強さは15Ｎ／cm2、熱変形温度は200℃である。前記フェノール樹脂発泡体の性能は、押出発泡ポリスチレン３種が熱伝導率；0.028Ｗ／ｍ・Ｋ、圧縮強さ；20Ｎ／cm2、熱変形温度；80℃であることや、硬質ウレタンフォーム２種が熱伝導率；0.024Ｗ／ｍ・Ｋ、圧縮強さ；8Ｎ／cm2、熱変形温度；100℃であることと比較して充分に高い性能を有する。
【００３３】
本実施形態に係る床部（床構造）１においては、蓄熱性を備える床躯体層２と該床躯体層２に載置される仕上げ層３とが上述の式（１）及び式（２）を充足していることから、床仕上げ材を設置した状態でも床躯体層２を形成する床パネルの蓄熱性を充分に発揮させることができ、窓１４から入射した太陽光の熱（直達日射熱）を従前の床構造よりも多く蓄熱し、且つ、放熱することができる。このように、これら構造材の熱容量を室内環境調整のためにさらに活かすことを可能にした床部１によれば、単に床躯体層２の上部に床仕上げ層３を設置した状態であっても室内温度の変動が小さい快適な住空間を有する建物１０を提供することが可能となる。また、このように少ない層構成で室内の温熱環境を向上させることができるため、床の重量を削減することができ、躯体全体として軽量な建物を構成することが可能となっている。
【００３４】
また、本実施形態の床部１を構成する床パネルは、断熱層４よりも室内側に配置されているため、冷暖房機器によって室内を冷暖房する際の熱を蓄熱あるいは放熱する蓄熱材としても機能しうる。したがって、このような床部１に、冷暖房時に発生する急激な温度変動に対する緩衝材としての機能を期待することもできる。
【実施例１】
【００３５】
本発明の効果を確認すべく本発明者は実験（シミュレーション）を実施した。以下、実験の内容を実施例として説明する。
【００３６】
＜計算モデル＞
計算モデルとして用いた建物１０は１室（縦3660mm×横3660mm×高さ2400mm）＋床下のみの単室モデルで、南面に掃き出し窓１４、北面に腰高窓１４’、南掃き出し窓１４上にオーバーハング日よけ１５を設置した（図２〜図４参照）。また、天井は、外気側から高性能フェノールフォーム69mm＋ＡＬＣ100mm＋空気層＋石膏ボード9mmのＡＬＣ造の一般的な構成とし、壁は熱容量の影響を排除するために高性能フェノールフォーム35mmのみの構成とした。南面掃き出し窓１４は南壁中央にW2258mm×H1975mm、北面腰高窓１４’は北壁中央で床（床構造１）からの高さ850mmに部分にW1648mm×H1405mmで設定した。南掃き出し窓１４上のオーバーハング日よけ１５は、南面壁と同じ巾で、掃き出し窓１４の上部直上に設置し、出寸法は600mmとした。
【００３７】
＜計算対象＞
床躯体層２を構成するＡＬＣを蓄熱材とみなし、仕上げ層３が無い場合と異なる仕上げ層３を設置した各モデルについて室温変動シミュレーションを実施した（表１に示す各モデルの熱抵抗Ｒ(Ｒ')と容積比熱Ｃ(Ｃ')を参照）。なお、表１中において、式（１）及び式（２）を充足するモデル（組み合わせ）を「ＯＫ」を付して示している。
モデル(1)（比較例１）：ＡＬＣ（床躯体層２）のみ（基本）
モデル(2)（実施例１）：ＡＬＣ（床躯体層２）＋合板（仕上げ層３）（R＞R’、C＜C’）
モデル(3)（比較例２）：ＡＬＣ（床躯体層２）＋カーペット（仕上げ層３）（R＞R’、C＞C’）
モデル(4)（実施例２）：ＡＬＣ（床躯体層２）＋モルタル＋タイル（仕上げ層３）（R＞R’、C＜C’）
モデル(5)（比較例３）：ＡＬＣ（床躯体層２）＋押出し法ポリスチレンフォーム（ＸＰＳ）（断熱層）＋合板（仕上げ層３）（R＜R’、C＞C’）
【表１】
2012180677.tif 000003
【００３８】
また、モデル(1)〜(5)における各部材の厚み、熱伝導率λ、熱抵抗Ｒ、さらに熱貫流率（材料の厚さも加味して熱の伝えやすさを表した値）Ｕは表２〜表６に示すとおりである。
【表２】
2012180677.tif 000004
【表３】
2012180677.tif 000005
【表４】
2012180677.tif 000006
【表５】
2012180677.tif 000007
【表６】
2012180677.tif 000008
【００３９】
＜計算方法＞
シミュレーションには、動的熱計算プログラムTRNSYSと換気計算プログラムCOMISを連成させたものを使用した。連成とは、いわば熱計算と換気計算の結果を相互に連携させて繰り返し計算を行うことである。ちなみに、別々の支配方程式で表される物理現象が互いに関係をもつような複雑な現象を、それぞれの方程式を関連付けて解く事によって求める事を連成解析という。
【００４０】
TRNSYSは非定常なエネルギーシミュレーションを行うプログラムで、Wisconsin大学のSEL(Solar Energy Laboratory)で基本部分の開発やメンテナンスが行われている。実際に実験を行い、その結果との整合性を確かめ修正が加えられ発展してきた背景から、計算結果への信頼性が高いものである。
【００４１】
COMISは、換気量とそれに伴う空気質の変化を予測するためのツールで、1990-1996年におけるIEA（国際エネルギー機関）のANNEX23（Multizone Air Flow Modeling）において、開発が進められた。TRNSYSと連成することで、温度変動結果を換気計算に反映し、さらにその換気計算結果を温熱計算に反映させるという繰り返し計算を行い、より精度の高いシミュレーションを行うことができる。EMPA（スイス）において基本部分の開発やメンテナンスが行われている。
【００４２】
外気データには、拡張アメダス（AMeDAS, Automated Meteorological Data Acquisition System）標準年の府中（観測所番号44116）を使用した。府中は省エネルギー基準による地域区分において、IV地域の平均的なデグリーデーとなる地域として採用した。計算期間は１年間（助走期間１ヶ月）、計算間隔は30分とし、冬期日射取得があり室温が低い状況が続いていた典型的な冬日である２月１日−２月３日を代表日として選択した。
【００４３】
＜計算結果＞
計算結果から、モデル(1)とモデル(2)は室温変動にほとんど差が無いこと、モデル(4)はモデル(1)より温度変動が小さくなること、モデル(3)、モデル(5)はモデル(1)より温度変動が大きくなることを確認した（冬季室温変動のシミュレーションの結果、冬季床表面温度変動のシミュレーションの結果をそれぞれ示す図５、図６参照）。
【００４４】
＜追加実験＞
上記計算結果がシミュレーションによる結果であることに鑑み、本発明者は、実測結果と計算結果との比較を行い、上記シミュレーションが実測に合致することを追加実験により確認した。実測を行った建物（試験棟）の概要は図７に示すとおりであり、シミュレーションに用いた建物１０のモデルは図８、図９に示すとおりである。今回の実験では、図中にて「ＡＬＣ室」と示されている部屋を用いた。このＡＬＣ室の天井、壁、窓の構成は、上述の計算モデルで用いた建物１０における構成と同様である。このＡＬＣ室における層構成は以下のとおりとした。すなわち、天井はケイ酸カルシウム板（厚さ6mm）＋フェノールフォーム（厚さ70mm）＋ＡＬＣ（厚さ100mm）の構成、間仕切り壁（廊下及び緩衝空間との間の壁）は石膏ボード（厚さ125mm）＋空気層＋ロックウール（厚さ55mm）＋空気層＋石膏ボード（厚さ125mm）の構成、外壁（南面の壁）はＡＬＣ（厚さ75mm）＋空気層＋フェノールフォーム（厚さ25mm）＋空気層＋石膏ボード（厚さ125mm）の構成である。
【００４５】
実測した外気温度と日射量測定データ（ただし実測期間は2008年12月〜2009年の3月まで）を用いて上述した計算モデルと同様のシミュレーションを行い、計算により求められた日射量（「日射_計算」）、ＡＬＣ室内温度の実測値（「実測ＡＬＣ」）、ＡＬＣ室内温度の計算値（「計算ＡＬＣ」）、外気温の実測値（「外気_実測」）の各データを得た（図１０参照）。このデータを検討したところ、シミュレーション結果の方が実測結果よりもピークがやや遅れる（後ろにずれる）ものの、温度変動の傾向は同様であった。この結果から、実測結果とシミュレーション結果との整合性が高いことが確認された。
【００４６】
また、ここまでの実験結果から、本発明者は以下の事項についても確認するに至った。すなわち、蓄熱材として機能しうる床躯体層２及び仕上げ層３による室温調整効果によれば、直達日射のみで冬期日中の最高室温を20℃程度以上とすることが可能である。
【００４７】
なお、上述の実施形態は本発明の好適な実施の一例ではあるがこれに限定されるものではなく本発明の要旨を逸脱しない範囲において種々変形実施可能である。例えば、上述した実施形態では式（１）及び式（２）を充足する床躯体層２の一例としてＡＬＣ床パネルが用いられたものを説明したがこれは好適例にすぎず、この他、コンクリート系の床パネルや木質系の床パネルが用いられたものを採用することもできる。要は、式（１）及び式（２）を充足する床躯体層２と仕上げ層３の組み合わせであれば、床躯体層２の熱容量を室温調整に有効的に活用することが可能である。この観点からすれば、潜熱蓄熱材を用いた床躯体層２あるいは仕上げ層３に採用することも可能である。また、式（１）及び式（２）を充足するのであれば、補強鉄筋を含む床躯体層２を採用することも可能である。
【００４８】
また、上述した実施形態・実施例では、直達日射による熱（直達日射熱）を蓄熱・放熱する場合を主に説明したが、本発明によれば床躯体層２の熱容量を室温調整に有効的に活用できることからすれば、直達日射の他、拡散日射や対流、放射、伝熱による熱を蓄熱し又は放熱すること（蓄熱・放熱の対象に含めること）も当然に可能である。
【産業上の利用可能性】
【００４９】
本発明は、住宅等の建物の居室や非居室の床部分を形成する床構造に適用して好適である。
【符号の説明】
【００５０】
１…床部（床構造）、２…床躯体層、３…仕上げ層、４…断熱層、１０…建物、１１…構造躯体（架構）、１２…屋根部、１３…外壁部、１４…窓（開口）
【図１】
2012180677.tif 000009
【図２】
2012180677.tif 000010
【図３】
2012180677.tif 000011
【図４】
2012180677.tif 000012
【図７】
2012180677.tif 000013
【図８】
2012180677.tif 000014
【図９】
2012180677.tif 000015
【図５】
2012180677.tif 000016
【図６】
2012180677.tif 000017
【図１０】
2012180677.tif 000018